(57)【要約】【課題】見映えの良い荘厳さを有する瓔珞の提供を目的とする。【解決手段】仏壇飾り用瓔珞であって、瓔珞は、笠部と、笠部から吊り下げた飾り枠と、当該飾り枠から吊り下げた飾り玉とを備え、笠部は有底の筒状であるとともに外周面に装飾模様を施してあり、笠部の少なくとも内面に金メッキ又は金色着色膜を施し、外周面の装飾模様部に金箔を施したものであることを特徴とする。【選択図】  図１
0003134239.tif 000002
【実用新案登録請求の範囲】
【請求項１】
仏壇飾り用瓔珞であって、
瓔珞は、笠部と、笠部から吊り下げた飾り枠と、当該飾り枠から吊り下げた飾り玉とを備え、
少なくとも笠部は金メッキ又は金色着色膜で表面装飾してあることを特徴とする瓔珞。
【請求項２】
仏壇飾り用瓔珞であって、
瓔珞は、笠部と、笠部から吊り下げた飾り枠と、当該飾り枠から吊り下げた飾り玉とを備え、
笠部は外周面に装飾模様を施してあり、笠部の少なくとも内面に金メッキ又は金色着色膜を施し、外周面の装飾模様部に金箔を施したものであることを特徴とする瓔珞。
【請求項３】
飾り枠又は／及び飾り玉は、金メッキ又は金色着色膜を施してあることを特徴とする請求項１又は２記載の瓔珞。
【考案の詳細な説明】
【技術分野】
【０００１】
本考案は、仏殿、仏壇飾りに用いる瓔珞に関し、特に瓔珞の装飾構造に係る。
【背景技術】
【０００２】
仏殿や仏壇等においては、輪灯や隅灯の周縁部に飾りとして瓔珞を吊り下げている。
この種の瓔珞は笠部の下に、羽根状の４つ枠、３つ枠からなる飾り枠を数珠繋ぎに連節して吊り下げてあり、この飾り枠には、鈴又は風鈴等の形を形成した飾り玉を取り付けてあるのが一般的である。
このような瓔珞はこれまで表面に金箔を貼り、装飾価値を高めていた。
最近では笠部、飾り枠、飾り玉等をＡＢＳ等の樹脂で成形し、その表面に金箔を箔押しする場合が多い。
例えば瓔珞の低コスト化を目的に特許文献１には瓔珞を透明樹脂で成形し、外部から見える表面のみに金箔を施す技術を開示している。
しかし、この方法では図５に示すように笠部１１１は、略おわん状の底のある筒状になっているので、凹部の内面１１２も見る角度によっては外部から見えるので透明体１１１ａのままでは、荘厳さに欠き、高級感がなくなる。
特に笠部外周部１１３に、意匠上の内外貫通穴模様１１４を施してある場合には穴の周縁から透明体が見えるのでさらに品位が低下してしまう。
また外周面に有する凹凸模様に金箔を箔押しする作業は熟練技を必要とするだけでなく、凹凸により箔切れをおこしやすく、重ね押しが必要になり透明部を完全に無くするのに多くの金箔を要していた。
【０００３】
【特許文献１】実用新案登録第３０６５９４６号公報
【考案の開示】
【考案が解決しようとする課題】
【０００４】
本考案は、上記背景技術に鑑みて、見映えの良い荘厳さを有する瓔珞の提供を目的とする。
【課題を解決するための手段】
【０００５】
本考案に係る瓔珞は、仏壇飾り用瓔珞であって、瓔珞は、笠部と、笠部から吊り下げた飾り枠と、当該飾り枠から吊り下げた飾り玉とを備え、少なくとも笠部は金メッキ又は金色着色膜で表面装飾してあることを特徴とし、また、笠部は外周面に装飾模様を施してあり、笠部の少なくとも内面に金メッキ又は金色着色膜を施し、外周面の装飾模様部に金箔を施したものでもよい。
【０００６】
さらに、飾り枠又は／及び飾り玉は、金メッキ又は金色着色膜を施してあってもよい。
【０００７】
飾り枠は羽根状であって四方に放射状に広がった４つ枠タイプでも、三方に放射状に広がった３つ枠タイプでもよい。
飾り玉は鈴や風鈴を型採った形状のものが多いが特に限定されない。
【考案の効果】
【０００８】
本考案に係る瓔珞においては、笠部の内側に金メッキ又は金色着色膜を施したので外表面に金箔を施すだけで高級感がでる。
【考案を実施するための最良の形態】
【０００９】
本考案に係る瓔珞１０の実施例を図４に示す。
笠部１１から複数の飾り枠２０を数珠繋ぎにして吊り下げるとともに、いくつもの数珠繋ぎ状の飾り枠を笠部１１から垂下してある。
笠部１１及び飾り枠２０の形状、大きさ等は図４に示すものに限定されるものでなく、各種形状が採用される。
飾り枠２０には飾り玉３０が複数取り付けてあり、図３（ａ）に示すように飾り枠２０は２枚の羽根状のピース２０ａ、２０ｂを中央部で差し込み、クロスさせた４つ枠タイプの例となっている。
図３（ａ）に示した飾り玉３０の例は鈴を型採った例を示し、図３（ｂ）は風鈴３０ａを型採った飾り玉の例である。
【００１０】
図１及び図２に本考案に係る笠部１１の例を示す。
図１（ａ）は平面図、図１（ｂ）は側面図、図２はＡ−Ａ線断面図である。
笠部１１はＡＢＳ樹脂等の樹脂で成形してある。
笠部１１は略おわん状の開口部を有する有底の筒状になっていて、内側の凹部となる内面１２は内周面１２ａと内底面１２ｂから構成され、凹部外側は外周面１３と外底面１３ａとから構成されている。
外周面１３は凹凸模様の意匠凹凸模様１５と意匠穴１４とを有する装飾模様部１６を有している。
【００１１】
笠部１１の少なくとも内面１２（内周面１２ａ及び内底面１２ｂ）は金メッキ又は金色着色膜を施してある。
金メッキ又は金色着色膜は少なくとも内面１２に施してあればよく、メッキ処理あるいは蒸着及び塗装方法等によっては外周面１３や外底面１３ａに施してあってもよい。
また、外周面１３や外底面１３ａにも金メッキ又は金色着色膜を施した場合には後述する金箔の箔押しを省くことも可能である。
【００１２】
外周面１３には意匠凹凸模様１５に沿って金箔を箔押ししてあり、金箔により荘厳さがあり高級感と高い品位が確保されている。
【００１３】
これにより笠部１１は少なくとも内面１２に金メッキ又は金色着色膜を施してあるので外周面１３及び外底面１３ａに金箔を施すことで、どの角度から見ても金色に見え、従来のように内面や意匠穴を通して透明樹脂が一部見えるといった不具合が無くなり、さらには内面に金箔を箔押しするのに比較して金箔使用量が少なくとも内面部分の枚数が減るので低コストになる。
また、外底面１３ａは飾り枠２０や飾り玉３０等により見え難い部位なので外底面１３ａの金箔押しを省略し、金メッキや金色着色膜にしてもよい。
【００１４】
金メッキは電気メッキ、溶融メッキ及び蒸着メッキでもよく、金色着色膜は素材がＡＢＳ樹脂等の場合に下地にアルミナ蒸着をし、その上に金色塗装をしてもよい。
これらの金色方法は金箔に比較して安価である。
金メッキや金色着色膜は意匠穴１４の縁部や笠部１１の開口縁部への付き廻り性がよいので、例えば外周面にも下地処理として金メッキや金色着色膜を施してあると、この外周面１３の装飾模様部１６に金箔を箔押しする際に仮に重ね合わせが一部不完全であっても、その不完全部分の下地に金メッキ等が施してあるので、見映えにおいてなんら問題が生じない。
【００１５】
図３（ａ）、（ｂ）に示した飾り枠２０や飾り玉３０、３０ａは笠部１１に比較して小物であり、金箔の箔押しで対応してもよいが形状が複雑な場合には金メッキや金色着色膜処理で対応するのがよい。
特に形状が複雑な場合には金箔の重ね押しが多くなるので原価低減の効果が大きい。
【００１６】
図６及び図７には隅瓔珞の例を示し、図６に示した瓔珞１０ａは蓮傘タイプの笠部１１ａとなっていて、図７に示した瓔珞１０ｂは丸傘タイプの笠部１１ｂになっている。
このような形状の笠部にあっては、外面の装飾部の形状が複雑であり、金箔を箔押しする際に箔切れをおこしやすい。
そこで笠部全体を金メッキや金色着色をすると安価にできる。
笠部素材が透明樹脂である場合に、内面に金メッキや金色着色を施すと、表面の金箔の箔切れが目立たなくなり、金箔の使用量の低減を図ることもできる。
【図面の簡単な説明】
【００１７】
【図１】本考案に係る瓔珞の笠部の例を示す。（ａ）は平面図で（ｂ）は側面図である。
【図２】Ａ−Ａ線断面図を示す。
【図３】飾り枠及び飾り玉の例を示す。
【図４】本考案に係る瓔珞の例を示す。
【図５】従来の瓔珞の笠部を示す。
【図６】本考案を適用した蓮傘タイプの瓔珞の例を示す。
【図７】本考案を適用した丸傘タイプの瓔珞の例を示す。
【符号の説明】
【００１８】
１０      瓔珞
１１      笠部
１２      内面
１２ａ    内周面
１２ｂ    内底面
１３      外周面
１３ａ    外底面
１４      意匠穴
１５      意匠凹凸模様
１６      装飾模様部
２０      飾り枠
３０      飾り玉
【図１】
0003134239.tif 000003
【図２】
0003134239.tif 000004
【図３】
0003134239.tif 000005
【図４】
0003134239.tif 000006
【図５】
0003134239.tif 000007
【図６】
0003134239.tif 000008
【図７】
0003134239.tif 000009